(57)【要約】【課題】偽造行為の際に重大な劣化または完全なる劣化をラベルに与えずにラベルを取り外すことができない方法で、ディスクの製造後にセキュリティデバイスとしてホログラフィセキュリティラベルを貼り付けたディスクおよびラベルを貼り付ける方法の提供。【解決手段】外周縁およびディスクの中央に円孔を画定する反対側の内縁によって連絡した上面および下面を有し、前記内縁に隣接した円形ハブと前記外縁との間に配置された記録情報を含み、前記ハブがディスクのホログラフィラベルを支持するディスクにおいて、前記ホログラフィラベルは、前記ハブの前記上面と前記下面の間の凹部に配置されたホログラムを含む光重合したフィルムであり、前記ホログラムを含む前記光重合フィルムは前記凹部の中に押入されることを特徴とするディスク。【選択図】　　　　図８
2004005983.tif 000002
【特許請求の範囲】
【請求項１】
外周縁およびディスクの中央に円孔を画定する反対側の内縁によって連絡した上面および下面を有し、前記内縁に隣接した円形ハブと前記外縁との間に配置された記録情報を含み、前記ハブがディスクのホログラフィラベルを支持するディスクにおいて、前記ホログラフィラベルは、前記ハブの前記上面と前記下面の間の凹部に配置されたホログラムを含む光重合したフィルムであり、前記ホログラムを含む前記光重合フィルムは前記凹部の中に押入されることを特徴とするディスク。
【請求項２】
前記凹部は、前記上面よりも低いドーナツ形の開口を含むことを特徴とする請求項１に記載のディスク。
【請求項３】
前記ホログラムはボリュームフェーズホログラムであることを特徴とする請求項１に記載のディスク。
【請求項４】
前記ハブは透明であり、前記光重合フィルムの前記ディスクに隣接した面はグラフィック画像を含むことを特徴とする請求項１に記載のディスク。
【請求項５】
外周縁およびディスクの中央に円孔を画定する反対側の内縁によって連絡した上面および下面を有し、前記内縁に隣接した円形ハブと前記外縁との間に配置された記録情報を含むディスクに、ホログラフィセキュリティラベルを貼り付ける方法であって、
ａ）ホログラムを含む光重合フィルムを、前記ハブの前記上面と前記下面の間の凹部に隣接して配置する工程と、
ｂ）前記ハブの前記凹部に前記フィルムを押入する工程と
を含むことを特徴とする方法。
【請求項６】
前記凹部は、前記上面よりも低いドーナツ形の開口を含むことを特徴とする請求項５に記載の方法。
【請求項７】
前記ホログラムはボリュームフェーズホログラムであることを特徴とする請求項５に記載の方法。
【請求項８】
前記ハブは透明であり、前記光重合フィルムの前記ディスクに隣接した面はグラフィック画像を含むことを特徴とする請求項５に記載の方法。
【発明の詳細な説明】
【０００１】
【発明の属する技術分野】
本発明は、ディスクの凹部に貼り付けたホログラフィセキュリティラベル（ｈｏｌｏｇｒａｐｈｉｃ　ｓｅｃｕｒｉｔｙ　ｌａｂｅｌ）を有する光ディスク、例えばコンパクトディスク（ＣＤ）に関する。このディスクとホログラフィラベルの組合せは、強化型のディスクセキュリティデバイスとして有用である。
【０００２】
【従来の技術】
ディジタル光ディスク、例えばコンパクトディスクは、高価なコンピュータソフトウェアの媒体として広く使用されており、したがって偽造行為の対象となりやすい。識別目的のホログラム（ｈｏｌｏｇｒａｍ）を光ディスク上で使用することが知られている。従来技術の大部分の文献では、このようなホログラムが、スタンピング（ｓｔａｍｐｉｎｇ）プロセスによって形成された表面レリーフ（ｓｕｒｆａｃｅ−ｒｅｌｉｅｆ）ホログラムであり、そのためホログラムはディスクと一体になっている。この場合、ホログラムは、ディスク製造で使用される全ての処理条件に耐えなければならず、そのため、処理中にホログラムが重大な損傷を受けないよう処理条件にはかなりの制限が課せられる。このタイプの従来技術が特許文献１および２である。
【０００３】
従来技術のいくつかの文献には、ディジタル光ディスクの製造とは別個に形成し、次いでディスクの平らな非凹領域に貼り付けたホログラム（ボリュームフェーズホログラム（ｖｏｌｕｍｅ−ｐｈａｓｅ　ｈｏｌｏｇｒａｍ）とすることができる）が開示されている。このタイプの開示が特許文献２および３である。ディスク製造とは別個にホログラムを形成し、次いで製造されたディスクにホログラムをラベルとして貼り付けることは、ディスク製造の処理条件を制限しない点で有利だが、この方法には、しばしば偽造者が、偽物のディスクが本物であるとの印象を与えるために、ホログラフィラベルを無傷のまま容易に取り外し、次いで、より高価なソフトウェアがコード化された別のディスクに無傷のまま再び貼り付けることができるという重大な欠点がある。したがって、このような方法で貼り付けたホログラフィラベルのセキュリティデバイスとしての価値は限られたものとなる。
【０００４】
【特許文献１】
特開平１１−３０６６００号公報
【０００５】
【特許文献２】
独国実用新案第２９，６２０，０７４号明細書
【０００６】
【特許文献３】
欧州特許出願公開第１，１０２，２６７号明細書
【０００７】
【発明が解決しようとする課題】
偽造行為の際に重大な劣化または完全なる劣化をラベルに与えずにラベルを取り外すことができない方法で、ディスクの製造後にセキュリティデバイスとしてディジタル光ディスクに貼り付けることができるホログラフィックラベルが強く求められている。本発明はこの重要な必要性に対する解決策を提供する。
【０００８】
【課題を解決するための手段】
ディスクは、強化型のセキュリティデバイスとして、ラベルを大幅にまたは完全に破壊しない限りホログラフィラベルを取り外すことができない方法でディスクに貼り付けられたホログラフィラベルを有する。このディスクは、外周縁およびディスクの中央に円孔を画定する反対側の内縁によって連絡した上面および下面を有する。このディスクは、内縁に隣接した円形ハブと外縁との間に配置された記録情報を含み、ハブはディスクのホログラフィラベルを支持する。このホログラフィラベルは、ハブの上面と下面の間の凹部に配置されたホログラムを含む光重合したフィルムであり、ホログラムを含む光重合フィルムは凹部に押入される。
【０００９】
ホログラフィラベルは任意の形状をとることができ、ホログラフィラベルのサイズは、ハブのサイズに対するパーセンテージとして、非常に小さなパーセンテージ（＜１パーセント）から１００パーセントまで変更することができる。同様に、ハブの凹部の形状およびサイズもハブ全体に対して同じ方法で変更することができる。好ましい実施形態では、凹部が上面よりも低いドーナツ形開口を含む。他の好ましい実施形態では、ホログラムがボリュームフェーズホログラムである。好ましい他の実施形態では、ハブが透明であり、光重合フィルムのディスクに隣接した面がグラフィック画像を含む。
【００１０】
本発明はさらに、外周縁およびディスクの中央に円孔を画定する反対側の内縁によって連絡した上面および下面を有し、内縁に隣接した円形ハブと外縁との間に配置された記録情報を含むディスクに、ホログラフィセキュリティラベルを貼り付ける方法を含む。この方法は、
ａ）ホログラムを含む光重合フィルムを、ハブの上面と下面の間の凹部に隣接して配置する工程と、
ｂ）ハブの凹部にフィルムを押入する工程と
を含む。
【００１１】
上記方法の好ましい実施形態は、１）凹部が上面よりも低いドーナツ形開口を含む方法、２）ホログラムがボリュームフェーズホログラムである方法、および３）ハブが透明であり、光重合フィルムのディスクに隣接した面がグラフィック画像を含む方法を含む。
【００１２】
【発明の実施の形態】
図１および２に、外周縁１６およびディスク１０の中央に円孔２０を画定する反対側の内縁１８によって連絡した上面１２および下面１４を有する一般的な光ディスク１０を示す。円孔２０の直径は約１５ミリメートル（ｍｍ）である。ディスク１０は記録情報を含み、記録情報は通常、内縁１８に隣接した円形ハブ２４と外縁１６との間に配置された金属被覆された媒体（金属被覆媒体）２２に記憶される。ハブ２４は一般に、ディジタル情報を含まない幅約１０ミリメートルのドーナツ形の環である。ハブ２４は一般に無色透明だが、着色することもできる。ハブ２４のすぐ外側には金属被覆媒体２２があり、これはディジタル情報が記憶された幅約４１ミリメートルの別のドーナツ形の環である。
【００１３】
ハブ２４は、例えばエンボスホログラム（ｅｍｂｏｓｓｅｄ　ｈｏｌｏｇｒａｍ）を含む、ディスク１０のホログラフィラベルを支持することができる。ホログラフィ画像化には、偽造しようとしている人が持っていそうもない専門的な機器、例えばレーザ、技法および知識が必要なので、ホログラムの使用は、光ディスクに対する一定の偽造防止セキュリティレベルを提供する。
【００１４】
図３および４に、外周縁３６およびディスク３０の中央に円孔４０を画定する反対側の内縁３８によって連絡した上面３２および下面３４を有する、光ディスク１０に類似の光ディスク３０を示す。ディスク３０は、内縁３８に隣接した円形ハブ４４と外縁３６との間に配置された金属被覆媒体４２に記憶された記録情報を含む。ディスク３０は、ハブ４４の上面３２と下面３４の間に凹部４６を有する。この実施形態では凹部４６が、上面３２よりも低いドーナツ形の開口を含む。ホログラムを含んだ光重合したフィルム（光重合フィルム）を含むホログラフィラベルをその中に押入する凹部４６をハブ４４が有することによって、本発明は、非常に意味のある追加の偽造防止セキュリティレベルを提供する。ディスク３０の上面３２に対してラベルの浮上がり（ｒｅｌｉｅｆ）がほとんどまたは全くないようにハブ４４の凹部４６の所定の位置にホログラフィラベルを接着剤で接合すると、偽造しようとする者が偽造操作中に達成したいと考えるようにラベルを無傷のまま取り外すことは事実上不可能になる。
【００１５】
図５および６に、ディスク３０の凹部４６に配置するのに適したホログラフィラベル５０を示す。ラベル５０はドーナツ形であり、その中心に、上面５４と下面５６を連絡する円孔５２を有する。まず最初に、フィルム中にボリュームフェーズホログラムまたは表面レリーフホログラムを生み出す当技術分野において周知の（１つまたは複数の）ホログラフィ画像化技法を使用して、光重合可能なフィルムからホログラフィラベル５０を作製する。ボリュームフェーズホログラムが好ましい。ハブ４４の凹部４６の中にラベル５０が完全に含まれる限り、ホログラフィラベル５０は任意のサイズおよび形状をとることができる。
【００１６】
図７に、図６のホログラフィラベル５０が凹部４６の上方に置かれた、ホログラフィラベル５０を本発明に従って凹部４６に押入する前の図４のディスク３０を示す。好ましい実施形態では、ホログラフィラベル５０がドーナツ形であり、ハブ４４のドーナツ形の凹部４６にぴったりとはまるように設計される。ドーナツ形のラベル５０が好ましいのは、このような対称形にすると、ＣＤドライブ内でディスクが回転する間にディスク３０のバランスがくずれないからである。
【００１７】
図８に、本発明に従って図６のホログラフィラベル５０が凹部４６に押入された図４のディスク３０を示す。ラベル５０が凹部４６の中に完全に含まれる必要があるほかは、ハブ４４の凹部４６の深さに対するホログラフィラベル５０の厚さの制限はない。ラベル５０の厚さがハブ４４の凹部４６の深さにほぼ等しいことが好ましい。これは、こうすることによってディスク３０の表面が同じ高さまたはほぼ同じ高さになり、ラベル５０を無傷のまま取り外すことが困難に、または不可能になるためである。さらに、ドーナツ形ラベル５０のサイズは、ラベル５０が凹部４６にぴったりとはまるように、ディスク３０の凹部４６のそれと実質上同じであることが好ましい。ラベルアプリケータ（ｌａｂｅｌ　ａｐｐｌｉｃａｔｏｒ）がホログラムを含むフィルムをハブ４４の凹部４６に押入することを可能にする小さな公差すき間（ｔｏｌｅｒａｎｃｅ　ｇａｐ）があることが必要である。凹部４６のこの小さなすき間に工具、例えばナイフを挿入することが可能かもしれないが、ホログラフィラベル５０に対してナイフを水平に挿入することはできないので、（偽造の際に実施されまたは試みられると考えられるように）ラベル５０を無傷のまま取り外すことは事実上不可能であろう。
【００１８】
この発明では、ディスクのハブ４４が透明であることが好ましい。その場合には、ホログラムを含んだ光重合フィルムを含むホログラフィラベル５０の下面５６も、このグラフィック画像面５６がディスク３０に隣接しているときに透明なハブ４４を通して見ることができるグラフィック画像を含むことができる。
【００１９】
他の実施形態では、本発明が、以上に説明したタイプのディスク３０にホログラフィセキュリティラベル５０を貼り付ける方法である。この方法は、
ａ）ホログラムを含んだ光重合フィルムを、ハブの上面と下面の間の凹部に隣接して配置する工程と、
ｂ）ハブの凹部にフィルムを押入する工程と
を含む。
【００２０】
好ましい実施形態では、この方法が、ディスクの上面よりも低いドーナツ形の開口を含む凹部を有するディスクに対して実施される。他の好ましい実施形態では、この方法が、ボリュームフェーズホログラムであるホログラムを使用して実施される。さらに他の好ましい実施形態では、この方法が、透明なハブを有するディスクに対して実施され、グラフィック画像を含んだ光重合フィルムを含むホログラフィセキュリティラベルのディスクに隣接した面がグラフィック画像を含む。先に述べたフィルムを配置する方法工程ａ）およびフィルムを押入する方法工程ｂ）は、当技術分野で周知の任意のラベル貼付け技法を使用して実施することができる。配置工程と押入工程はともに、手動で、機械を用いて自動的に、またはこれらを組み合わせて実施することができる。ホログラフィセキュリティラベルをディスクに貼り付ける方法は、ラベルのディスクへの接合を達成するために、押入工程ｂ）を実行する前にセキュリティラベルおよび／またはハブの凹部に接着剤を塗布することを含むことが好ましい。
【００２１】
実施例
実施例１
この実施例では、ディジタル光ディスク、例えばＣＤのハブの凹部に偽造防止デバイスとして押入されたホログラフィラベルの高い有効性を示す。
【００２２】
Ｏｍｎｉｄｅｘ（登録商標）７３４ホログラフィ記録フィルム（Ｅ．Ｉ．ＤｕＰｏｎｔ　ｄｅ　Ｎｅｍｏｕｒｓ　ａｎｄ　Ｃｏｍｐａｎｙ社。米デラウェア州Ｗｉｌｍｉｎｇｔｏｎ）を使用してドーナツ形のホログラフィラベルを作製した。このフィルムは、フィルムの選択的な部分において、屈折率（デルタｎ）を光学的に変化させることによりホログラムを作成するのに用いられるボリュームフェーズ光重合フィルムである。ホログラフィ画像化は、コヒーレント光源としてｉ９０，２０ワットレーザ（Ｃｏｈｅｒｅｎｔ社。米カリフォルニア州Ｓａｎｔａ　Ｃｌａｒａ）を用いた周知のホログラフィ画像化技法を使用して実施した。得られたホログラフィラベルは、一体にはめ合わされた複数のジグソーパズル片から成るホログラフィ画像、ならびに会社名、その会社の周知の市販ソフトウェア製品の製品名、および「Ｇｅｎｕｉｎｅ（本物）」の語を含む。このドーナツ形ホログラフィラベルの外径は約３．２センチメートル、内径は約１．７センチメートルであった。ラベルの厚さは１１４ミクロンである。ホログラフィ画像の色は、黒を背景にして（見る角度によって）オレンジ色−緑色−金色であり、ホログラフィ画像はホログラフィラベルの片面からしか見ることができず、この面をホログラフィビューイングサイド（ｈｏｌｏｇｒａｐｈｉｃ　ｖｉｅｗｉｎｇｓｉｄｅ）と呼ぶ。反対側の面は、ホログラフィ画像ではなく、黒を背景にして複数の色（オレンジ、緑、青、黄色）を持つ、テキスト情報を含んだグラフィック画像を表示する。このテキスト情報には会社名および語「Ｇｅｎｕｉｎｅ」が含まれる。ホログラフィラベルのこの（反対側の）面を、グラフィックビューイングサイド（ｇｒａｐｈｉｃ　ｖｉｅｗｉｎｇ　ｓｉｄｅ）と呼ぶ。グラフィックビューイングサイドへのグラフィック情報の印刷は、米コネチカット州ＢｒｉｄｇｅｐｏｒｔのＤｕＰｏｎｔ　Ａｕｔｈｅｎｔｉｃａｔｉｏｎ　Ｓｙｓｔｅｍｓ社がフレキソ印刷を使用して実施した。
【００２３】
ハブのドーナツ形凹部を有するラベルのないＣＤを、ＤｕＰｏｎｔ　Ａｕｔｈｅｎｔｉｃａｔｉｏｎ　Ｓｙｓｔｅｍｓ社（米ユタ州Ｌｏｇａｎ）でフライス盤（ｍａｃｈｉｎｅ　ｍｉｌｌｉｎｇ）によって製作した。このフライス削りを（凹部のない）標準ＣＤに実施してハブに凹部を作り出した。ハブ部分は透明であった。可視光に対して透明な市販液体接着剤（Ｎａｔｉｏｎａｌ　Ｓｔａｒｃｈ社の８０−１１９４　Ｐｅｒｍａｎｅｎｔ　Ａｃｒｙｌｉｃ　Ａｄｈｅｓｉｖｅ。米イリノイ州Ｍｅｒｉｄｏｓｉａ）を使用してＣＤにラベルを接合し、ラベルの付いたＣＤを得た。ホログラフィラベルのグラフィックビューイングサイドに液体接着剤を薄く層状に塗布した。次いで、ホログラフィラベルをラベルのないＣＤのハブの凹部の位置に手で合わせ、ラベルが凹部の中に完全に含まれるように凹部に押入した。接着剤は、ラベルを貼り付け、周囲条件下でラベルを２４時間放置することによって硬化させた。ＣＤのハブの凹部および接着剤が透明なので、ラベルを接合してラベルの付いたＣＤとした後も、グラフィックビューイングサイドから見たグラフィック画像は依然として視認可能であった。
【００２４】
硬化後、（偽造しようとする者が実施すると考えられるように）ラベルの付いたＣＤからホログラフィラベルをナイフを使用して無傷のまま取り外そうと試みた。ラベルを無傷のまま取り外すことはできず、小片に分割されるだけで、ラベルは事実上完全に破壊された。したがって、偽造としようとする者が、本発明に従って作られたラベルの付いたＣＤから本物のラベルを取り外し、偽造された（偽物の）ＣＤに貼り付けようとしても、それは完全なる失敗に終わる。
【００２５】
比較例１
実施例１と同様にドーナツ形ホログラフィラベルを作製した。市販の透明接着剤を用いたラベルの接合は、凹部を持たないＣＤのハブ領域にラベルの接合を実施する他は実施例１と同じ方法で実施した。この場合にはハブに凹部がないので、貼り付けられたラベルはハブの表面に対して浮き出ていた。
【００２６】
硬化後、このホログラフィラベルは、ナイフでのそれと分かる欠損もなく完全に無傷のまま容易に取り外された。ラベルを無傷のまま取り外すことが容易である結果、偽造しようとする者が、本物のＣＤからラベルを取り外し、その後に（偽造された）偽物のＣＤに貼り付けることに成功する可能性ははるかに高くなると考えられる。
【図面の簡単な説明】
【図１】円孔２０、ハブ２４および金属被覆媒体２２を含む一般的な光ディスク１０の上面図である。
【図２】図１の線２−２に沿った断面図である。
【図３】ハブ４４の上面３２と下面３４の間に凹部４６を有する光ディスク３０の上面図である。
【図４】図３の線４−４に沿った断面図である。
【図５】ディスク３０の凹部４６に配置するのに適したドーナツ形ホログラフィラベル５０の上面図である。
【図６】図５の線６−６に沿った断面図である。
【図７】図６のホログラフィラベル５０が凹部４６の上方に置かれた、ホログラフィラベル５０を凹部４６に押入する前の図４に示したディスク３０の断面図である。
【図８】本発明に従って図６のホログラフィックラベル５０が凹部４６に押入された、図４に示したディスク３０の断面図である。
【符号の説明】
１０　光ディスク
１２　上面
１４　下面
１６　外縁
１８　内縁
２０　円孔
２２　金属被覆媒体
２４　円形ハブ
３０　光ディスク
３２　上面
３４　下面
３６　外縁
３８　内縁
４０　円孔
４２　金属被覆媒体
４４　円形ハブ
４６　凹部
５０　ホログラフィラベル
５２　円孔
５４　上面
５６　下面
【図１】
2004005983.tif 000003
【図２】
2004005983.tif 000004
【図３】
2004005983.tif 000005
【図４】
2004005983.tif 000006
【図５】
2004005983.tif 000007
【図６】
2004005983.tif 000008
【図７】
2004005983.tif 000009
【図８】
2004005983.tif 000010